(57)【要約】  本発明の実施例は、移動端末のデタッチ制御方法及び装置に関する。該方法は、移動端末がディアクティブになる時に、第１タイマーを起動し、ネットワーク設備にディアクティブ指示情報を送信することと、該第１タイマーがタイムアウトしても、該移動端末がアクティブにならない場合、該移動端末は、デタッチ操作を実施することとを含み、該ディアクティブ指示情報は、該ネットワーク設備が第２タイマーを起動して該第２タイマーが該第１タイマーと同期して計時するように、該移動端末が既にディアクティブになったことを示すために用いられる。本発明の実施例における移動端末のデタッチ制御方法及び装置は、ＡＴＴＡＣＨ／ＤＥＴＡＣＨフローにおけるシグナリングオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
2019503096.tif 000002
【特許請求の範囲】
【請求項１】
移動端末のデタッチ制御方法であって、
移動端末がディアクティブになる時に、第１タイマーを起動し、ネットワーク設備にディアクティブ指示情報を送信することと、
前記第１タイマーがタイムアウトしても、前記移動端末がアクティブにならない場合、前記移動端末は、デタッチ操作を実施することと、
を含み、前記ディアクティブ指示情報は、前記ネットワーク設備が第２タイマーを起動し、前記第２タイマーが前記第１タイマーと同期して計時するように、前記移動端末が既にディアクティブになったことを示すために用いられる、
ことを特徴とする前記移動端末のデタッチ制御方法。
【請求項２】
前記第１タイマーがタイムアウトしない時に、前記移動端末がアクティブになった場合、前記移動端末は、前記移動端末がディアクティブになる前の登録状態を継続して保持し、前記ネットワーク設備にアクティブ指示情報を送信すること、
をさらに含み、
前記アクティブ指示情報が、前記ネットワーク設備が前記移動端末の前記登録状態を継続して保持するために、前記移動端末が既にアクティブになったことを示すように用いられる、
ことを特徴とする請求項１に記載の移動端末のデタッチ制御方法。
【請求項３】
前記移動端末は、デタッチ操作を実施した後にアクティブになった場合、前記方法は、
前記移動端末はアタッチ操作を実施することをさらに含む、
ことを特徴とする請求項１又は２に記載の移動端末のデタッチ制御方法。
【請求項４】
前記移動端末は、前記ネットワーク設備により送信された第１予め設定された時間を受信することと、
前記移動端末は、前記第１タイマーの時間を前記第１予め設定された時間と設定することと、
をさらに含み、前記第１予め設定された時間が前記ネットワーク設備により設定された前記第２タイマーの時間である、
ことを特徴とする請求項１〜３のいずれか１項に記載の移動端末のデタッチ制御方法。
【請求項５】
前記移動端末は、前記ネットワーク設備により送信された複数個の予め設定された時間を受信することと、
前記移動端末は、前記複数個の予め設定された時間内の第２予め設定された時間を前記第１タイマーの時間として設定することと、
前記移動端末は、前記ネットワーク設備が前記第２タイマーの時間を前記第２予め設定された時間と設定するように、前記ネットワーク設備に前記第２予め設定された時間を送信することと、
をさらに含む、
ことを特徴とする請求項１〜３のいずれか１項に記載の移動端末のデタッチ制御方法。
【請求項６】
移動端末のデタッチ制御方法であって、
ネットワーク設備が、移動端末により送信されたディアクティブ指示情報を受信した場合、第２タイマーを起動することと、
前記ネットワーク設備は、前記第２タイマーがタイムアウトしても、前記移動端末により送信されたアクティブ指示情報を受信していない場合、デタッチ操作を実施することと、
を含み、前記ディアクティブ指示情報は、前記移動端末が既にディアクティブになったことを示すために用いられ、前記第２タイマーが前記移動端末内の第１タイマーと同期して計時し、前記第１タイマーが前記移動端末がディアクティブになる時に起動され、前記アクティブ指示情報が前記移動端末が既にアクティブになったことを示すように用いられる、
ことを特徴とする前記移動端末のデタッチ制御方法。
【請求項７】
前記第２タイマーがタイムアウトしない時に、前記ネットワーク設備が、前記移動端末により送信された前記アクティブ指示情報を受信した場合、前記ネットワーク設備は、前記移動端末がディアクティブになる前の登録状態を継続して保持すること、
をさらに含む、
ことを特徴とする請求項６に記載の移動端末のデタッチ制御方法。
【請求項８】
前記ネットワーク設備は、前記第２タイマーの時間を第１予め設定された時間と設定することと、
前記ネットワーク設備は、前記移動端末が、前記第１タイマーの時間を前記第１予め設定された時間と設定するように、前記移動端末に前記第１予め設定された時間を送信することと、
をさらに含む、
ことを特徴とする請求項６又は７に記載の移動端末のデタッチ制御方法。
【請求項９】
前記ネットワーク設備は、前記移動端末に複数個の予め設定された時間を送信することと、
前記ネットワーク設備は、前記移動端末により送信された前記複数個の予め設定された時間内の第２予め設定された時間を受信することと、
前記ネットワーク設備は、前記第２タイマーの時間を前記第２予め設定された時間と設定することと、
をさらに含み、前記第２予め設定された時間が、前記移動端末により設定された前記第１タイマーの時間である、
ことを特徴とする請求項６又は７に記載の移動端末のデタッチ制御方法。
【請求項１０】
移動端末であって、
前記移動端末がディアクティブになる時に、第１タイマーを起動し、ネットワーク設備にディアクティブ指示情報を送信するように構成される送信ユニットと、
前記第１タイマーがタイムアウトしても、前記移動端末がアクティブにならない場合、デタッチ操作を実施するように構成される処理ユニットと、
を含み、前記ディアクティブ指示情報は、前記ネットワーク設備が第２タイマーを起動し、前記第２タイマーが前記第１タイマーと同期して計時するように、前記移動端末が既にディアクティブになったことを示すために用いられる、
ことを特徴とする前記移動端末。
【請求項１１】
前記送信ユニットは、
前記第１タイマーがタイムアウトしない時に、前記移動端末がアクティブになった場合、前記移動端末がディアクティブになる前の登録状態を継続し保持し、前記ネットワーク設備にアクティブ指示情報を送信するようにさらに構成され、
前記アクティブ指示情報は、前記ネットワーク設備が前記移動端末の前記登録状態を継続して保持するように、前記移動端末が既にアクティブになったことを示すように用いられる、
ことを特徴とする請求項１０に記載の移動端末。
【請求項１２】
前記移動端末がデタッチ操作を実施した後にアクティブになった場合、前記処理ユニットは、
アタッチ操作を実施するようにさらに構成される、
ことを特徴とする請求項１０又は１１に記載の移動端末。
【請求項１３】
前記移動端末は、
前記ネットワーク設備により送信された第１予め設定された時間を受信するように構成される受信ユニットをさらに含み、前記第１予め設定された時間が前記ネットワーク設備により設定された前記第２タイマーの時間であり、
前記処理ユニットは、
前記第１タイマーの時間を前記第１予め設定された時間と設定するようにさらに構成される、
ことを特徴とする請求項１０〜１２のいずれか１項に記載の移動端末。
【請求項１４】
前記移動端末は、
前記ネットワーク設備により送信された複数個の予め設定された時間を受信するように構成される受信ユニットをさらに含み、
前記処理ユニットは、
前記複数個の予め設定された時間内の第２予め設定された時間を前記第１タイマーの時間として設定するようにさらに構成され、
前記送信ユニットは
前記ネットワーク設備が前記第２タイマーの時間を前記第２予め設定された時間と設定するように、前記ネットワーク設備に前記第２予め設定された時間を送信するようにさらに構成される、
ことを特徴とする請求項１０〜１２のいずれか１項に記載の移動端末。
【請求項１５】
ネットワーク設備であって、受信ユニットと処理ユニットを含み、
前記処理ユニットは、前記受信ユニットが移動端末により送信されたディアクティブ指示情報を受信した場合、第２タイマーを起動するように構成され、前記ディアクティブ指示情報は、前記移動端末が既にディアクティブになったことを示すために用いられ、前記第２タイマーが前記移動端末内の第１タイマーと同期して計時し、前記第１タイマーが前記移動端末がディアクティブになる時に起動され、
前記処理ユニットは、前記第２タイマーがタイムアウトしても、前記受信ユニットが前記移動端末により送信されたアクティブ指示情報を受信していない場合、デタッチ操作を実施するように構成され、前記アクティブ指示情報が前記移動端末が既にアクティブになったことを示すように用いられる、
ことを特徴とする前記ネットワーク設備。
【請求項１６】
前記処理ユニットは、
前記第２タイマーがタイムアウトしない時に、前記受信ユニットが前記移動端末より送信された前記アクティブ指示情報を受信した場合、前記移動端末がディアクティブになる前の登録状態を継続して保持するようにさらに構成される、
ことを特徴とする請求項１５に記載のネットワーク設備。
【請求項１７】
前記処理ユニットは、
前記第２タイマーの時間を第１予め設定された時間と設定するようにさらに構成され、
前記ネットワーク設備は、
前記移動端末が、前記第１タイマーの時間を前記第１予め設定された時間と設定するように、前記移動端末に前記第１予め設定された時間を送信するように構成される送信ユニットをさらに含み、
ことを特徴とする請求項１５又は１６に記載のネットワーク設備。
【請求項１８】
前記ネットワーク設備は、
前記移動端末に複数個の予め設定された時間を送信するように構成される送信ユニットをさらに含み、
前記受信ユニットは、
前記移動端末により送信された前記複数個の予め設定された時間内の第２予め設定された時間を受信するようにさらに構成され、前記第２予め設定された時間が前記移動端末により設定された前記第１タイマーの時間であり、
前記処理ユニットは、
前記第２タイマーの時間を前記第２予め設定された時間と設定するようにさらに構成される、
ことを特徴とする請求項１５又は１６に記載のネットワーク設備。
【発明の詳細な説明】
【技術分野】
【０００１】
本発明は、通信分野に関し、特に移動端末のデタッチ制御方法及び装置に関する。
【背景技術】
【０００２】
現行のロング・ターム・エボリューション（ＬＴＥ：Ｌｏｎｇ  Ｔｅｒｍ  Ｅｖｏｌｕｔｉｏｎ）技術において、非登録状態（ＥＭＭ−ＤＥＲＥＧＩＳＴＥＲＥＤ）にある端末は、登録状態（ＥＭＭ−ＲＥＧＩＳＴＥＲＥＤ）に戻ろうとした場合、端末は、アタッチ（ＡＴＴＡＣＨ）フローを起動し、該フローが非アクセス層（ＮＡＳ：Ｎｏｎ−ａｃｃｅｓｓ  ｓｔｒａｔｕｍ）のフローであり、例えば、端末の電源を入れること、又はＳＩＭカード（ユーザ識別モジュールＳｕｂｓｃｒｉｂｅｒ  Ｉｄｅｎｔｉｔｙ  Ｍｏｄｕｌｅ）を入れることは、いずれも非登録状態から登録状態に戻ることであり、アタッチフローを実施する必要である。該フローは、アクセス層（ＡＳ）フローを前提としており、即ち、アクセス層においてダウンリンク同期、ランダムアクセス、接続確立を行ってから、ＮＡＳ層のシグナリングによって、アタッチ要求（ＡＴＴＡＣＨ  ＲＥＱＵＥＳＴ）、アタッチ許可（ＡＴＴＡＣＨ  ＡＣＣＥＰＴ）、及びアタッチ完成（ＡＴＴＡＣＨ  ＣＯＭＰＬＥＴＥ）等のシグナリングをインタラクションする必要がある。
【０００３】
現行のＬＴＥシステムに、ＬＴＥ技術に基づく車車間・路車間通信（Ｖ２Ｘ：Ｖｅｈｉｃｌｅ  ｔｏ  Ｘ）システムの導入を検討しており、ここで、移動端末が、携帯電話又はコンピュータのような従来の端末から運転中の車両（ｖｅｈｉｃｌｅ）に変わる。車両と通常の端末との動作方式が異なり、即ち、大分の車両は、毎日の運転時間が限られており、車両の停止、起動の頻度が通常の端末より遥かに高く、毎回に従来のアタッチ／デタッチ（ＡＴＴＡＣＨ／ＤＥＴＡＣＨ）方式で車両のような端末に対して登録／登録解除管理を行わなければならず、例えば、車両の所有者が車に乗って郵便局、スーパーマーケット、デパートなどの場所に行く時に、一時停車する場合、車両の一回のＤＥＴＡＣＨ／ＡＴＴＡＣＨフローが必要であり、又は、車両の所有者が車に乗って空港に人を見送りに行く時に、一時停車する場合でも、車両の一回のＤＥＴＡＣＨ／ＡＴＴＡＣＨフローが必要であり、さらに、車両の所有者が車に乗って路辺で別の搭乗者を待つ時に、一時停車する場合、車両の一回のＤＥＴＡＣＨ／ＡＴＴＡＣＨフローが必要である。
【０００４】
上記のシーンから分かるように、現行のＡＴＴＡＣＨ／ＤＥＴＡＣＨフローは、現行端末と同様に、車両の起動時にＡＴＴＡＣＨを行い、車両停止時にＤＥＴＡＣＨを行うように、ＬＴＥ技術に基づくＶ２Ｘシステムにおいて使用されることができるが、車両の停止と起動の頻度が高くて、それにしても、従来のＡＴＴＡＣＨ／ＤＥＴＡＣＨ方式で、車両類の端末に対して登録／登録解除の管理を行うのは、大量の必要としないシグナリングの無駄になり、しかも、車両の初回目の起動時のアクセス遅延に影響を及ぼす。
【発明の概要】
【０００５】
本発明は、移動端末のデタッチ制御方法及び装置を提供し、シグナリングのオーバーヘッドを低減することができ、システム効率を向上させる。
【０００６】
第１態様として、移動端末のデタッチ制御方法を提供し、該方法は、移動端末がディアクティブになる時に、第１タイマーを起動し、ネットワーク設備にディアクティブ指示情報を送信することと、該第１タイマーがタイムアウトしても、該移動端末がアクティブにならない場合、該移動端末は、デタッチ操作を実施することと、を含み、該ディアクティブ指示情報は、該ネットワーク設備が第２タイマーを起動して該第２タイマーが該第１タイマーと同期して計時するように、該移動端末が既にディアクティブになったことを示すために用いられる。
【０００７】
そのため、本発明の実施例における移動端末のデタッチ制御方法において、移動端末がディアクティブになる時にタイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【０００８】
選択肢として、該ネットワーク設備は、アクセスネットワーク設備であっても良く、コアネットワーク設備であっても良い。
【０００９】
第１態様を結合し、第１態様の一つの実現方式において、該方法は、該第１タイマーがタイムアウトしない時に、該移動端末がアクティブになった場合、該移動端末は、該移動端末がディアクティブになる前の登録状態を継続して保持し、該ネットワーク設備にアクティブ指示情報を送信することをさらに含み、該アクティブ指示情報は、該ネットワーク設備が該移動端末の該登録状態を継続して保持するように、該移動端末が既にアクティブになったことを示すように用いられる。
【００１０】
具体的に、該移動端末は、ネットワーク設備にアクティブ指示情報を送信し、ネットワーク設備は、該アクティブ指示情報に基づいて、ネットワーク設備の第２タイマーを削除し、該移動端末の該登録状態を継続して保持しても良い。
【００１１】
第１態様、及びそれの上記の実現方式を結合し、第１態様のもう一つの実現方式において、デタッチ操作を実施した後に、該移動端末がアクティブになった場合、該方法は、該移動端末はアタッチ操作を実施することをさらに含む。
【００１２】
第１態様、及びそれの上記の実現方式を結合し、第１態様のもう一つの実現方式において、該方法は、該移動端末は、該ネットワーク設備により送信された第１予め設定された時間を受信することと、該移動端末は、該第１タイマーの時間を該第１予め設定された時間と設定することと、をさらに含み、該第１予め設定された時間は、該ネットワーク設備により設定された該第２タイマーの時間である。
【００１３】
具体的に、第２タイマーがコアネットワーク設備にある場合、コアネットワーク設備は、アクセスネットワーク設備を介して、移動端末に該第１予め設定された時間を送信することができる。
【００１４】
第１態様、及びそれの上記の実現方式を結合し、第１態様のもう一つの実現方式において、該方法は、該移動端末は、該ネットワーク設備により送信された複数個の予め設定された時間を受信することと、該移動端末は、該複数個の予め設定された時間内の第２予め設定された時間を、該第１タイマーの時間として設定することと、該移動端末は、該ネットワーク設備が該第２タイマーの時間を該第２予め設定された時間と設定するように、該ネットワーク設備に該第２予め設定された時間を送信することと、をさらに含む。
【００１５】
具体的に、第２タイマーがコアネットワーク設備にある場合、コアネットワーク設備は、アクセスネットワーク設備を介して、移動端末に該複数個の予め設定された時間を送信しても良く、移動端末は、コアネットワーク設備が、第２タイマーの時間を第２予め設定された時間と設定するように、さらに、アクセスネットワーク設備を介して、コアネットワーク設備に該第２予め設定された時間を送信しても良い。
【００１６】
第２態様において、移動端末のデタッチ制御方法を提供し、該方法は、ネットワーク設備が、移動端末により送信されたディアクティブ指示情報を受信した場合、第２タイマーを起動することと、該第２タイマーがタイムアウトしても、該ネットワーク設備が該移動端末より送信されたアクティブ指示情報を受信していない場合、該ネットワーク設備はデタッチ操作を実施することと、を含み、該ディアクティブ指示情報が、該移動端末が既にディアクティブになったことを示すために用いられ、該第２タイマーは該移動端末内の第１タイマーと同期して計時し、該第１タイマーは、該移動端末がディアクティブになる時に起動され、該アクティブ指示情報は、該移動端末が既にアクティブになることを示すように用いられる。
【００１７】
そのため、本発明の実施例における移動端末のデタッチ制御方法において、移動端末がディアクティブになる時にタイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００１８】
なお、該ネットワーク設備は、アクセスネットワーク設備であっても良く、コアネットワーク設備であっても良い。
【００１９】
選択肢として、該ネットワーク設備がアクセスネットワーク設備である場合、該アクセスネットワーク設備はデタッチ操作を実施することは、該アクセスネットワーク設備は、コアネットワーク設備にデタッチ指示情報を送信することを含み、該デタッチ指示情報は、コアネットワーク設備がデタッチ操作を実施するように指示するために用いられる、該コアネットワーク設備は、該デタッチ指示情報に基づいて、移動端末がアタッチする際のコンテキスト情報を削除することができる。
【００２０】
第２態様を結合し、第２態様の一つの実現方式において、該方法は、該第２タイマーがタイムアウトしない時に、該ネットワーク設備が該移動端末により送信された該アクティブ指示情報を受信した場合、該ネットワーク設備は、該移動端末がディアクティブになる前の登録状態を継続して保持することをさらに含む。
【００２１】
なお、該ネットワーク設備がアクセスネットワーク設備である場合、該アクセスネットワーク設備は、該移動端末がディアクティブになる前の登録状態を継続して保持することは、該アクセスネットワーク設備はコアネットワーク設備がデタッチ操作を実施するように指示せず、該コアネットワーク設備は、該移動端末がディアクティブになる前の登録状態を継続して保持することを含む。
【００２２】
第２態様及びそれの上記の実現方式を結合し、第２態様のもう一つの実現方式において、該方法は、該ネットワーク設備は、該第２タイマーの時間を第１予め設定された時間と設定することと、該ネットワーク設備は、該移動端末が該第１タイマーの時間を該第１予め設定された時間と設定するように、該移動端末に該第１予め設定された時間を送信することとをさらに含む。
【００２３】
選択肢として、該ネットワーク設備がコアネットワーク設備である場合、即ち、第２タイマーが該コアネットワーク設備にある場合、該コアネットワーク設備は、アクセスネットワーク設備を介して、該移動端末に該第１予め設定された時間を送信することができる。
【００２４】
第２態様及びそれの上記の実現方式を結合し、第２態様のもう一つの実現方式において、該方法は、該ネットワーク設備は、該移動端末に複数個の予め設定された時間を送信することと、該ネットワーク設備は、該移動端末により送信された該複数個の予め設定された時間内の第２予め設定された時間を受信することと、該ネットワーク設備は、該第２タイマーの時間を該第２予め設定された時間と設定することと、をさらに含み、該第２予め設定された時間は、該移動端末が設定された該第１タイマーの時間である。
【００２５】
具体的に、該ネットワーク設備がコアネットワーク設備である場合、即ち、第２タイマーがコアネットワーク設備にある場合、コアネットワーク設備は、アクセスネットワーク設備を介して、移動端末に該複数個の予め設定された時間を送信しても良く、移動端末は、コアネットワーク設備が、第２タイマーの時間を第２予め設定された時間と設定するように、さらに、アクセスネットワーク設備を介して、コアネットワーク設備に該第２予め設定された時間を送信しても良い。
【００２６】
第３態様において、移動端末を提供し、上記の第１態様又は第１態様のいずれかの可能な実現方式の方法を実施するように構成される。具体的に、該移動端末は、上記の第１態様又は第１態様のいずれかの可能な実現方式の方法を実施するためのユニットを含む。
【００２７】
第４態様において、ネットワーク設備を提供し、上記の第２態様又は第２態様のいずれかの可能な実現方式の方法を実施するように構成される。具体的に、該ネットワーク設備は、上記の第２態様又は第２態様のいずれかの可能な実現方式の方法を実施するためのユニットを含む。
【００２８】
第５態様において、移動装置を提供し、記憶装置とプロセッサとを含み、該記憶装置は命令を記憶するために用いられ、該プロセッサは、該記憶装置に記憶されている命令を実施するために用いられ、該記憶装置に記憶されている命令の実行によって、該プロセッサが第１態様又は第１態様のいずれかの可能な実現方式の方法を実行するようにする。
【００２９】
第６態様において、ネットワーク設備を提供し、記憶装置とプロセッサとを含み、該記憶装置は、命令を記憶するために用いられ、該プロセッサは、該記憶装置に記憶されている命令を実施するために用いられ、該記憶装置に記憶されている命令の実行によって、該プロセッサが第２態様又は第２態様のいずれかの可能な実現方式の方法を実行するようにする。
【００３０】
第７態様において、コンピュータでの読み取り可能な媒体を提供し、コンピュータプログラムを記憶するために用いられ、該コンピュータプログラムは、第１態様又は第１態様のいずれかの可能な実現方式の方法を実行するための命令を含む。
【００３１】
第８態様において、コンピュータでの読み取り可能な媒体を提供し、コンピュータプログラムを記憶するために用いられ、該コンピュータプログラムは、第２態様又は第２態様のいずれかの可能な実現方式の方法を実行するための命令を含む。
【図面の簡単な説明】
【００３２】
【図１】本発明の実施例による移動端末のデタッチ制御方法を示すフローチャートである。
【図２】本発明の実施例による移動端末を示すブロック図である。
【図３】本発明の実施例によるコアネットワーク設備を示すブロック図である。
【図４】本発明のもう一つの実施例による移動端末を示すブロック図である。
【図５】本発明のもう一つの実施例によるコアネットワーク設備を示すブロック図である。
【発明を実施するための形態】
【００３３】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００３４】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００３５】
図１は、本発明の実施例による移動端末のデタッチ制御方法１００を示すフローチャートを示している。図１に示すように、該方法１００は、Ｓ１１０〜Ｓ１７０を含む。
【００３６】
Ｓ１１０において、移動端末がディアクティブになる時に、第１タイマーを起動する。また、該移動端末は、ディアクティブになる前の登録状態を保持し、即ち、移動端末は、暫くデタッチ（ＤＥＴＡＣＨ）操作をしない。
【００３７】
なお、該方法１００において、移動端末は、従来の移動端末、又は移動局、又は車両類の移動端末であっても良い、本発明はそれに限らない。例えば、Ｖ２Ｘシステムにおいて、該移動端末は車両であっても良く、従来の端末に比べて、車両の起動／停止が頻繁である。
【００３８】
なお、該方法１００において、ネットワーク設備は、コアネットワーク設備であっても良く、アクセスネットワーク設備であっても良い。該アクセスネットワーク設備は、基地局であっても良く、該コアネットワーク設備は、移動管理エンティティ（ＭＭＥ：Ｍｏｂｉｌｉｔｙ  Ｍａｎａｇｅｍｅｎｔ  Ｅｎｔｉｔｙ）であっても良く、又はホーム加入者サーバ（ＨＳＳ：Ｈｏｍｅ  Ｓｕｂｓｃｒｉｂｅｒ  Ｓｅｒｖｅｒ）であっても良く、本発明はそれに限らない。
【００３９】
なお、移動端末がディアクティブになる前に、つまり、移動端末が起動している状態にある時に、ネットワークとデータ伝送を行うために、該移動端末が登録状態である。具体的に、該移動端末は、アクセスネットワーク設備を介して該コアネットワーク設備とデータ伝送を行うことが可能であり、該コアネットワーク設備に移動端末のアタッチ時の相関するコンテキスト情報が記憶されている。
【００４０】
なお、移動端末のディアクティブ、換言すれば、移動端末がディアクティブモードに入るのは、移動端末の電源が切られたことを意味しても良く、例えば、該移動端末が車両である場合、移動端末のディアクティブになるのは、車両が停止することを意味しても良い。
【００４１】
なお、移動端末がディアクティブになる時に、該移動端末のために計時するために、第１タイマーを起動し、該第１タイマーは、該移動端末によって維持しても良い。
【００４２】
本発明の実施例において、移動端末がディアクティブになる時に、移動端末はＤＥＴＡＣＨ操作を実施せず、クローズ前の登録状態を保持するが、移動端末は、クローズしてから、アクセスネットワーク設備との接続を切断しても良い。
【００４３】
先行技術において、移動端末がディアクティブになった後に、移動端末がＤＥＴＡＣＨ操作を実施し、移動端末とコアネットワーク設備とは、記憶されているアタッチ時の相関コンテキスト情報を削除することになり、それに対して、本発明の実施例が先行技術と異なるのは、移動端末のディアクティブ後に、暫くＤＥＴＡＣＨ操作を実施せず、つまり、端末がアタッチ（ＡＴＴＡＣＨ）操作時の相関するコンテキスト情報を削除せず、暫く該登録状態を保持して第１タイマーを起動し、そのため、該移動端末のディアクティブ後に、暫くオフライン状態にあると言っても良く、登録状態をまだ保持している。
【００４４】
本発明の実施例において、第１タイマーに予め設定された時間を設定し、タイマー起動後に、該移動端末がアクティブされてから計時を終了し、タイマーの計時で予め設定された時間を超えた前に、つまりタイマータイムアウトの前に、移動端末がずっとアクティブにならない場合、タイマータイムアウトになってから、該第１タイマーを停止する。選択肢として、該第１タイマーに設定された予め設定された時間は、実際の状況に応じて設定されても良く、具体的に、ネットワーク設備によって設定されても良く、ブロードキャストシグナリング又はその他の方式で該移動端末に知らせ、例えば、コアネットワーク設備によって前回のＤＥＴＡＣＨ操作時の専用情報を通して移動端末に設定しても良く、又はアクセスネットワーク設備によって移動端末に構成情報を送信しても良く、該構成情報にて該第１タイマーの予め設定された時間を設定しても良い。
【００４５】
選択肢として、該第１タイマーの予め設定された時間が一つだけを設定しても良く、実際状況に応じて複数個を設定しても良く、ユーザに実際状況に応じて選択させ、シグナリング又はその他の方式でネットワーク設備に具体的なタイマーに設定された値を告知する。例えば、該タイマーの予め設定された時間に三つの選択肢が考えられ、例えばＶａｌｕｅ１が短時間の停止に適用し、Ｖａｌｕｅ２が中等時間の停止に適用し、Ｖａｌｕｅ３が長時間の停止に適用し、即ち、該移動端末が車両である場合、車両の所有者が停車して移動端末をディアクティブする前に、タイマー内の三つの予め設定された時間のうちの一つを選択することが可能であり、具体的に、車両の所有者が当該停車の予想時間に基づいて、予め設定された時間を選択することでき、長時間の停車である場合、タイマー内の予め設定された時間の短いＶａｌｕｅ３を選択することが可能であり、単なる短時間の停車である場合、タイマー内の予め設定された時間の長いＶａｌｕｅ１を選択することが可能であるが、本発明はそれに限定しない。車両の所有者が今回の使用するタイマーの予め設定された時間を選択してから、車両端末は、ネットワーク設備がネットワーク設備のタイマーを同時に起動し、同じの予め設定された時間を使用して同期して計時を開始するように、シグナリングを介して選択結果をネットワーク設備に送信することが可能である。
【００４６】
Ｓ１２０において、移動端末は、ネットワーク設備にディアクティブ指示情報を送信し、該ディアクティブ指示情報が、該移動端末が既にディアクティブになったことを示すために用いられる。
【００４７】
Ｓ１３０において、ネットワーク設備は、該ディアクティブ指示情報を受信した場合、該ネットワーク設備の第２タイマーを起動し、該第２タイマーが移動端末の第１タイマーと、移動端末がディアクティブになった後に同期して計時する。
【００４８】
具体的に、ネットワーク設備はディアクティブ指示情報を受信した場合、第２タイマーを起動し、該移動端末のディアクティブになる前の登録状態をまだ保持し、暫くＤＥＴＡＣＨ操作を実施せず、ここでのネットワーク設備は、アクセスネットワーク設備であっても良く、コアネットワーク設備であっても良く、つまり該第２タイマーがアクセスネットワーク設備によって制御して計時しても良く、コアネットワーク設備によって制御しても良い。
【００４９】
本発明の実施例において、移動端末はディアクティブになった後に、専用シグナリングを介してネットワーク設備に該移動端末が既にディアクティブになったことを告知することができる。先行技術において、移動端末がディアクティブされてから、同様に、専用シグナリングを介してネットワーク設備に、該移動端末が既にディアクティブになったことを告知し、該ネットワーク設備は該移動端末がＤＥＴＡＣＨ操作を実施したことを確定し、コアネットワーク設備により直接削除するか、それともアクセスネットワーク設備によりコアネットワーク設備が該移動端末のＡＴＴＡＣＨ時の相関コンテキスト情報を削除するかのように指示し、即ち、移動端末が非登録状態に入り、それに対して、本発明の実施例において、該ネットワーク設備が該ディアクティブ指示情報を受信し、該移動端末が既にディアクティブになったことを示された時に、該ネットワーク設備は、該移動端末がＤＥＴＡＣＨ操作を暗黙的に実施せず、即ち、該ネットワーク設備は、暫くＤＥＴＡＣＨ操作を実施せず、コアネットワーク設備は、移動端末がディアクティブになる前の登録状態を保持し、ネットワーク設備に記憶されたＡＴＴＡＣＨ時の相関コンテキスト情報を残しておく。
【００５０】
本発明の実施例において、該ネットワーク設備は第２タイマーを設定し、該第２タイマーが第１タイマーと同期して計時し、つまり、該第１タイマーと該第２タイマーとに同じの予め設定された時間を設定し、同時に起動される。具体的に、移動端末の第１タイマーとネットワーク設備の第２タイマーとは、ネットワーク設備によってまとめて設定し、移動端末に送信しても良い。選択肢として、該ネットワーク設備は、アクセスネットワーク設備であっても良く、コアネットワーク設備であっても良く、該移動端末内の第１タイマーに一つ又は複数個の予め設定された時間を設定してあげても良く、一つの改めて設定された値を設定した場合、該移動端末と該ネットワーク設備とのタイマーがいずれも該予め設定された時間を使用してタイマーを設定し、移動端末に複数個の予め設定された時間を設定した場合、ユーザによって毎回の第１タイマーの使用する予め設定された時間を選択し、ネットワーク設備が第２タイマーの予め設定された時間を第１タイマーと同じになるように設定するように、シグナリング又はその他の方式でネットワーク設備を通知する。
【００５１】
具体的に、ネットワーク設備が一つの予め設定された時間を設定した場合、第１予め設定された時間とも称し、該ネットワーク設備は第２タイマーを該第１予め設定された時間と設定し、移動端末に送信する。例えば、該移動端末が第１タイマーを該第１予め設定された時間と設定するように、ブロードキャストを介し、又はＡＴＴＡＣＨ操作又はＤＥＴＡＣＨ操作における専用シグナリングを介して移動端末に該第１予め設定された時間を送信する。
【００５２】
選択肢として、ネットワーク設備が複数個の予め設定された時間を設定した場合、該複数個の予め設定された時間を移動端末に送信することが可能であり、移動端末がディアクティブになった時に、ネットワーク設備にディアクティブ指示情報を送信することが可能であり、該ディアクティブ指示情報は、該移動端末が既にディアクティブになったことを示すために用いられることが可能であり、今回、該移動端末がディアクティブされて第１タイマーを起動する時に、該第１タイマーの選択した予め設定された時間が該複数個の予め設定された時間内の第２予め設定された時間であることも示すことが可能であり、この場合、ネットワーク設備は、該ディアクティブ指示情報に基づいて第２タイマーを起動し、第２タイマーの予め設定された時間を第１タイマーと同じの第２予め設定された時間と設定しても良い。選択肢として、端末は、その他の方式で該第２予め設定された時間をネットワーク設備に送信することがさらにでき、本発明はそれに限らない。
【００５３】
Ｓ１４０において、移動端末内の第１タイマーがタイムアウトしない時に、移動端末がアクティブされ、移動端末は、ネットワーク設備にアクティブ指示情報を送信し、該アクティブ指示情報は、該移動端末が既に再度アクティブされていることを示すように用いられる。ネットワーク設備の第２タイマーが移動端末の第１タイマーと同期して計時するため、ネットワーク設備は該アクティブ指示情報を受信した時に、第２タイマーもタイムアウトしなく、この場合、Ｓ１５０において、移動端末が再度アクティブになってから、ＡＴＴＡＣＨ操作を実施する必要がなくなり、登録状態を継続して保持することができ、つまりコアネットワーク設備と移動端末とは、削除していないＡＴＴＡＣＨ操作の時の相関コンテキストをそのまま使用することができる。
【００５４】
本発明の実施例において、移動端末がディアクティブされてから、第１タイマーを起動し、該第１タイマーがタイムアウトしない場合、移動端末がアクティブになった時に、該第１タイマーを終了させ、即ち、該第１タイマーが計時を停止し、移動端末が今回のディアクティブからアクティブまでの一切りの時間内で、ＤＥＴＡＣＨ操作を実施しておらず、ネットワーク設備もＤＥＴＡＣＨ操作を実施しておらず、コアネットワーク設備は、移動端末にＡＴＴＡＣＨ操作の時の相関コンテキストを残してあげており、そのため、移動端末がアクティブになった時に、ＡＴＴＡＣＨ操作を実施する必要がなくなる。
【００５５】
同様に、該ネットワーク設備において第２タイマーを設定し、該ネットワーク設備の第２タイマーが移動端末内の第１タイマーと同期しており、第１タイマーがタイムアウトしない場合、第２タイマーもタイムアウトしなく、移動端末は、ネットワーク設備も該第２タイマーを停止し、コアネットワーク設備が移動端末の登録状態を継続して保持するできるように、アクティブになる時に、シグナリング又はその他の方式を介して該ネットワーク設備に、移動端末が既にアクティブになったことを通知することが可能である。
【００５６】
Ｓ１６０において、第１タイマーがタイムアウトになるまで、該移動端末がずっとアクティブにならない場合、移動端末は該第１タイマーのタイムアウト時に、ＤＥＴＡＣＨ操作を実施することが可能であり、つまり、ＡＴＴＡＣＨ操作時に記憶された相関コンテキスト情報を削除し、非登録状態に入る。
【００５７】
同様に、Ｓ１７０において、ネットワーク設備が移動端末と同期して計時するため、移動端末がタイムアウトしてもアクティブにならない場合、ネットワーク設備は、第２タイマーもタイムアウトになり、該移動端末により送信されたアクティブ指示情報を受信されてない場合、該ネットワーク設備もＤＥＴＡＣＨ操作を実施し、ここで、該アクティブ指示情報は、該移動端末が既にアクティブになったことを示すように用いられる。
【００５８】
具体的に、該ネットワーク設備がアクセスネットワーク設備である場合、アクセスネットワーク設備の第２タイマーがタイムアウトしても、移動端末により送信されたアクティブ指示情報が受信されていない場合、該アクセスネットワークはＤＥＴＡＣＨ操作を実施し、つまり、該アクセスネットワーク設備は、コアネットワーク設備にＤＥＴＡＣＨ指示情報を送信することができ、該ＤＥＴＡＣＨ指示情報を介してコアネットワーク設備がＤＥＴＡＣＨ操作を実施したことを示し、コアネットワーク設備は、該移動端末のＡＴＴＡＣＨ操作時の相関コンテキスト情報を削除し、該移動端末が非登録状態に入るようにする。選択肢として、該ネットワーク設備がコアネットワーク設備である場合、コアネットワーク設備の第２タイマーがタイムアウトしても、移動端末により送信されたアクティブ指示情報が受信されていない場合、該コアネットワーク設備はＤＥＴＡＣＨ操作を実施し、該移動端末のＡＴＴＡＣＨ操作時の相関コンテキスト情報を削除し、該移動端末が非登録状態に入るようにする。
【００５９】
本発明の実施例において、移動端末とネットワーク設備とがタイマーがタイムアウトになり、ＤＥＴＡＣＨ操作を実施した後に、移動端末が再びアクティブになった後に、ＡＴＴＡＣＨ操作を実施し、具体的に、該ＡＴＴＡＣＨ操作は、先行技術と同様に、該移動端末がコアネットワーク設備に再度登録し、登録状態に入り、該移動端末がネットワーク設備とデータ伝送を行うように、移動端末によってネットワーク設備にアタッチ要求情報を送信し、ＡＴＴＡＣＨ操作を実施することができる。
【００６０】
なお、本発明の各実施例において、上記の各過程の番号は実施の前後順序を意味とせず、各課程の実施順序は、その機能と自身のロジックによって確定されるべきであり、本発明の実施例の実施過程を制限するものになるわけではない。
【００６１】
そのため、本発明の実施例における移動端末のデタッチ制御方法は、移動端末がディアクティブになる時に、タイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのアウトヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００６２】
上記において、図１を結合し、本発明の実施例による移動端末のデタッチ制御方法を詳しく説明しており、以下において、図２〜５を結合し、本発明の実施例による移動端末デタッチを制御する装置を説明する。
【００６３】
図２に示すように、本発明の実施例による移動端末２００は、
該移動端末がディアクティブになる時に、第１タイマーを起動し、ネットワーク設備にディアクティブ指示情報を送信するように構成される送信ユニット２１０と、
該第１タイマーがタイムアウトしても、該移動端末がアクティブにならない場合、デタッチ操作を実施するように構成される処理ユニット２２０と、
を含み、該ディアクティブ指示情報は、該ネットワーク設備が第２タイマーを起動して該第２タイマーが該第１タイマーと同期して計時するように、該移動端末が既にディアクティブになったことを示すために用いられる。
【００６４】
選択肢として、該送信ユニット２１０は、該第１タイマーがタイムアウトしない時に、該移動端末がアクティブになった場合、該移動端末がディアクティブになる前の登録状態を継続して保持し、該ネットワーク設備にアクティブ指示情報を送信するようにさらに構成され、該アクティブ指示情報は、該ネットワーク設備が該移動端末の該登録状態を継続して保持するように、該移動端末が既に再度アクティブになることを示すように用いられる。
【００６５】
選択肢として、該移動端末がデタッチ操作を実施した後にアクティブになった場合、該処理ユニット２２０はアタッチ操作を実施するようにさらに構成される。
【００６６】
選択肢として、該移動端末は、受信ユニットをさらに含み、該ネットワーク設備により送信された第１予め設定された時間を受信するように構成され、該第１予め設定された時間は、該ネットワーク設備により設定された該第２タイマーの時間であり、該処理ユニット２２０は、該第１タイマーの時間を該第１予め設定された時間と設定するように構成される。
【００６７】
選択肢として、該移動端末は、受信ユニットをさらに含み、該ネットワーク設備により送信された複数個の予め設定された時間を受信するように構成され、該処理ユニット２２０は、該複数個の予め設定された時間内の第２予め設定された時間を、該第１タイマーの時間として設定するようにさらに構成され、該送信ユニット２１０は、該ネットワーク設備は、該第２タイマーの時間を該第２予め設定された時間と設定するように、該ネットワーク設備に該第２予め設定された時間を送信するようにさらに構成される。
【００６８】
なお、本発明の実施例による移動端末２００は、本発明の実施例における方法１００内の移動端末に対応することができ、移動端末２００内の各モジュールの上記とその他の操作及び／又は機能が図１内の方法における移動端末の対応するフローのためであり、簡潔のため、ここでそれ以上説明しない。
【００６９】
そのため、本発明の実施例における移動端末は、ディアクティブになる時に、第１タイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００７０】
図３に示すように、本発明の実施例によるネットワーク設備３００は、処理ユニット３１０と受信ユニット３２０とを含む。
【００７１】
該処理ユニット３１０は、該受信ユニット３２０で、移動端末により送信されたディアクティブ指示情報を受信した時に、第２タイマーを起動するように構成され、該ディアクティブ指示情報が、該移動端末が既にディアクティブになったことを示すために用いられ、該第２タイマーは該移動端末内の第１タイマーと同期して計時し、該第１タイマーは、該移動端末がディアクティブになる時に起動される。
【００７２】
該処理ユニット３１０は、該受信ユニット３２０が、該第２タイマーがタイムアウトしても、該移動端末より送信されたアクティブ指示情報が受信されていない場合、デタッチ操作を実施するように構成され、該アクティブ指示情報は、該移動端末が既にアクティブになったことを示すように用いられる。
【００７３】
選択肢として、該処理ユニット３１０は、該受信ユニット３２０が、該第２タイマーがタイムアウトしない時に、該移動端末により送信された該アクティブ指示情報を受信した場合、該移動端末がディアクティブになる前の登録状態を継続して保持するように構成される。
【００７４】
選択肢として、該処理ユニット３１０は、該第２タイマーの時間を第１予め設定された時間と設定するようにさらに構成され、該ネットワーク設備は、送信ユニットをさらに含み、該移動端末が該第１タイマーの時間を該第１予め設定された時間と設定するように、該移動端末に該第１予め設定された時間を送信するように構成される。
【００７５】
選択肢として、該ネットワーク設備は、送信ユニットをさらに含み、該移動端末に複数個の予め設定された時間を送信するように構成され、該受信ユニット３２０は、該移動端末により送信された該複数個の予め設定された時間内の第２予め設定された時間を受信するようにさらに構成され、該第２予め設定された時間は、該移動端末により設定された該第１タイマーの時間であり、該処理ユニット３１０は、該第２タイマーの時間を該第２予め設定された時間と設定するようにさらに構成されれる。
【００７６】
なお、本発明の実施例によるネットワーク設備３００は、本発明の実施例における方法１００内のネットワーク設備に対応することができ、ネットワーク設備３００内の各モジュールの上記とその他の操作及び／又は機能が図１内の方法におけるネットワーク設備の対応するフローのためであり、簡潔のため、ここでそれ以上説明しない。
【００７７】
そのため、本発明の実施例におけるネットワーク設備は、移動端末がディアクティブになる時にタイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、ネットワーク設備は相関コンテキスト情報を削除し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００７８】
例えば図４に示すように、本発明の実施例は、移動端末４００をさらに提供し、該移動端末４００は、プロセッサ４１０、記憶装置４２０、送受信装置４３０、及びバスシステム４４０を含む。ここで、プロセッサ４１０、記憶装置４２０、及び送受信装置４３０は、バスシステム４４０によって接続し、該記憶装置４２０は命令を記憶するよう構成され、該プロセッサ４１０は、送受信装置４３０での信号の送受信するように、該記憶装置４２０に記憶されている命令を実行するように構成され。ここで、該送受信装置４３０は、該移動端末がディアクティブになる時に、第１タイマーを起動し、ネットワーク設備にディアクティブ指示情報を送信するように構成され、該ディアクティブ指示情報は、該ネットワーク設備が第２タイマーを起動して該第２タイマーが該第１タイマーと同期して計時するように、該移動端末が既にディアクティブになったことを示すために用いられ、該プロセッサ４１０は、該第１タイマーがタイムアウトしても、該移動端末がアクティブにならない場合、デタッチ操作を実行するように構成される。
【００７９】
そのため、本発明の実施例における移動端末は、ディアクティブになった時に、第１タイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００８０】
なお、本発明の実施例において、該プロセッサ４１０は、中央処理装置（ＣＰＵ：Ｃｅｎｔｒａｌ  Ｐｒｏｃｅｓｓｉｎｇ  Ｕｎｉｔ）であっても良く、該プロセッサ４１０は、その他の汎用処理装置、デジタルシグナルプロセッサ（ＤＳＰ）、専用集積回路（ＡＳＩＣ）、現場でプログラマブルゲートアレイ（ＦＰＧＡ）又は他のプログラマブルロジックデバイス、ディスクリートゲート又はトランジスタ論理デバイス、ディスクリートハードウェアコンポーネントであってもよい。汎用処理装置は、マイクロプロセッサ又は該プロセッサであっても良く、任意の通常のプロセッサ等であっても良い。
【００８１】
該記憶装置４２０は、読み取り専用記憶装置とランダムアクセス記憶装置を含むことが可能であり、プロセッサ４１０に命令とデータを提供する。記憶装置４２０の一部は、不揮発性ランダムアクセス記憶装置を含むことが可能である。例えば、記憶装置４２０は、デバイス種類情報を記憶することも可能である。
【００８２】
該バスシステム４４０は、データバス以外に、電源バス、制御バス及び状態信号バスなどを含む。分かりやすく説明するために、図面に全てのバスをバスシステム４４０と符号をつける。
【００８３】
実現過程において、上記方法の実施例における各ステップは、プロセッサ４１０におけるハードウェアの集積論理回路、又はソフトウェア形態の命令により完成されてもよい。本発明の実施例に開示されている方法のステップはハードウェア処理装置で実行されることとして体現することができ、又は処理装置内のハードウェアとソフトウェアモジュールを連携して実行されることができる。ソフトウェアモジュールは、ランダム記憶装置、フラッシュメモリ、読み取り専用メモリ、プログラマブル読み取り専用メモリ又は電気的消去可能プログラマブルメモリ、レジスタなどの本分野における成熟した記憶媒体に位置しても良い。該記憶媒体は記憶装置４２０に位置し、プロセッサ４１０は記憶装置４２０内の情報を読み取り、ハードウェアを結合して上記の方法のステップを完成する。重複を避けるために、ここでそれ以上を説明しない。
【００８４】
選択肢として、該送受信装置４３０は、該第１タイマーがタイムアウトしない時に、該移動端末がアクティブになった場合、該移動端末がディアクティブになる前の登録状態を継続して保持し、該ネットワーク設備にアクティブ指示情報を送信するようにさらに構成され、該アクティブ指示情報は、該ネットワーク設備が該移動端末の該登録状態を継続して保持するように、該移動端末が既にアクティブになったことを示すように用いられる。
【００８５】
選択肢として、該移動端末がデタッチ操作を実施した後に、アクティブになった場合、該プロセッサ４１０は、アタッチ操作を実施するようにさらに構成される。
【００８６】
選択肢として、該送受信装置４３０は、該ネットワーク設備により送信された第１予め設定された時間を受信するようにさらに構成され、該第１予め設定された時間は、該ネットワーク設備により設定された該第２タイマーの時間であり、該プロセッサ４１０は、該第１タイマーの時間を該第１予め設定された時間と設定するようにさらに構成される。
【００８７】
選択肢として、該送受信装置４３０は、該ネットワーク設備により送信された複数個の予め設定された時間を受信するようにさらに構成され、該プロセッサ４１０は、該複数個の予め設定された時間内の第２予め設定された時間を該第１タイマーの時間として設定するようにさらに構成され、該送受信装置４３０は、該ネットワーク設備が、該第２タイマーの時間を該第２予め設定された時間として設定するように、該ネットワーク設備に該第２予め設定された時間を送信するようにさらに構成される。
【００８８】
なお、本発明の実施例による移動端末４００は、本発明の実施例における移動端末２００に対応することが可能であり、本発明の実施例による方法１００を実行する移動端末に対応することが可能であり、移動端末４００内の各モジュールの上記とその他の操作及び／又は機能が図１内の方法の移動端末の対応するフローのためであり、簡潔のため、ここでそれ以上説明しない。
【００８９】
そのため、本発明の実施例における移動端末は、ディアクティブになった時に、第１タイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００９０】
図５に示すように、本発明の実施例は、ネットワーク設備５００をさらに提供し、該ネットワーク設備５００はプロセッサ５１０、記憶装置５２０、送受信装置５３０、及びバスシステム５４０を含む。ここで、プロセッサ５１０、記憶装置５２０、及び送受信装置５３０は、バスシステム５４０によって接続され、該記憶装置５２０は命令を記憶するように用いられ、該プロセッサ５１０は、該記憶装置５２０に記憶されている命令を実行するように用いられ、送受信装置５３０での信号の送受信を制御する。ここで、該プロセッサ５１０は、該送受信装置５３０が移動端末により送信されたディアクティブ指示情報を受信した時に、第２タイマーを起動するように構成され、該ディアクティブ指示情報が、該移動端末が既にディアクティブになったことを示すために用いられ、該第２タイマーは該移動端末内の第１タイマーと同期して計時し、該第１タイマーは、該移動端末がディアクティブになる時に起動され、該送受信装置５３０が該第２タイマーがタイムアウトしても、該移動端末より送信されたアクティブ指示情報が受信されていない場合、デタッチ操作を実施し、該アクティブ指示情報は、該移動端末が既にアクティブになったことを示すように用いられる。
【００９１】
そのため、本発明の実施例におけるネットワーク設備は、移動端末がディアクティブになる時にタイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、ネットワーク設備は相関コンテキスト情報を削除し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【００９２】
あお、本発明の実施例において、該プロセッサ５１０は、ＣＰＵであっても良く、該プロセッサ５１０は、その他の汎用処理装置、デジタルシグナルプロセッサ（ＤＳＰ）、専用集積回路（ＡＳＩＣ）、現場でプログラマブルゲートアレイ（ＦＰＧＡ）又は他のプログラマブルロジックデバイス、ディスクリートゲート又はトランジスタ論理デバイス、ディスクリートハードウェアコンポーネントであってもよい。汎用処理装置は、マイクロプロセッサ又は該プロセッサであっても良く、任意の通常のプロセッサ等であっても良い。
【００９３】
該記憶装置５２０は、読み取り専用記憶装置とランダムアクセス記憶装置を含むことが可能であり、プロセッサ４１０に命令とデータを提供する。記憶装置５２０の一部は、不揮発性ランダムアクセス記憶装置を含むことが可能である。例えば、記憶装置５２０は、デバイス種類情報を記憶することも可能である。
【００９４】
該バスシステム５４０は、データバス以外に、電源バス、制御バス及び状態信号バスなどを含む。分かりやすく説明するために、図面に全てのバスをバスシステム５４０と符号をつける。
【００９５】
実現過程において、上記方法の実施例における各ステップは、プロセッサ５１０におけるハードウェアの集積論理回路、又はソフトウェア形態の命令により完成されてもよい。本発明の実施例に開示されている方法のステップはハードウェア処理装置で実行されることとして体現することができ、又は処理装置内のハードウェアとソフトウェアモジュールを連携して実行されることができる。ソフトウェアモジュールは、ランダム記憶装置、フラッシュメモリ、読み取り専用メモリ、プログラマブル読み取り専用メモリ又は電気的消去可能プログラマブルメモリ、レジスタなどの本分野における成熟した記憶媒体に位置しても良い。該記憶は記憶装置５２０に位置し、プロセッサ５１０は記憶装置５２０内の情報を読み取り、ハードウェアを結合して上記の方法のステップを完成する。重複を避けるために、ここでそれ以上を説明しない。
【００９６】
選択肢として、該プロセッサ５１０は、該送受信装置５３０が該第２タイマーがタイムアウトしない時に、該移動端末により送信された該アクティブ指示情報を受信した場合、該移動端末がディアクティブになる前の登録状態を継続して保持するようにさらに構成される。
【００９７】
選択肢として、該プロセッサ５１０は、該第２タイマーの時間を第１予め設定された時間と設定するようにさらに構成され、該送受信装置５３０は、該移動端末が該第１タイマーの時間を該第１予め設定された時間と設定するように、該移動端末に該第１予め設定された時間を送信するようにさらに構成される。
【００９８】
選択肢として、該送受信装置５３０は、該移動端末に複数個の予め設定された時間を送信し、該移動端末より送信された該複数個の予め設定された時間内の第２予め設定された時間を受信するようにさらに構成され、該第２予め設定された時間は、該移動端末により設定された該第１タイマーの時間であり、該プロセッサ５１０は、該第２タイマーの時間を該第２予め設定された時間と設定するようにさらに構成される。
【００９９】
なお、本発明の実施例によるネットワーク設備５００は、本発明の実施例におけるネットワーク設備３００に対応することができ、本発明の実施例による方法１００を実施するネットワーク設備に対応することができ、ネットワーク設備５００内の各モジュールの上記とその他の操作及び／又は機能が図１内の方法におけるネットワーク設備の対応するフローのためであり、簡潔のため、ここでそれ以上説明しない。
【０１００】
そのため、本発明の実施例におけるネットワーク設備は、移動端末がディアクティブになる時にタイマーを起動し、暫くＤＥＴＡＣＨ操作を実施せず、移動端末がタイマーのタイムアウトになる前にアクティブになった場合、ＡＴＴＡＣＨ操作を実施する必要がなくなり、端末がタイマーがタイムアウトしてもアクティブにならない場合、移動端末とネットワーク設備は、タイマーがタイムアウトになった時にＤＥＴＡＣＨ操作を実施し、ネットワーク設備は相関コンテキスト情報を削除し、このように、ＡＴＴＡＣＨ／ＤＥＴＡＣＨフローにおけるシグナリングのオーバーヘッドを、特に、ＡＴＴＡＣＨ／ＤＥＴＡＣＨ操作を頻繁に行うＶ２Ｘなどのサービスに対して、有効に低減することができ、しかもシステム効率を向上させ、移動端末の初回目のアクセス遅延を短縮することができる。
【０１０１】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１０２】
当業者は、説明の便利と簡潔上、上記に記載されているシステム、装置及びユニットの具体的な動作については、上記の方法実施例の対応されているフローを参照することができ、ここでそれ以上述べない。
【０１０３】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１０４】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１０５】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１０６】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１０７】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019503096.tif 000003
【図２】
2019503096.tif 000004
【図３】
2019503096.tif 000005
【図４】
2019503096.tif 000006
【図５】
2019503096.tif 000007
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
移動端末のデタッチ方法であって、
移動端末がディアクティブになる時に、第１タイマーを起動し、ネットワーク設備にディアクティブ指示情報を送信することと、
前記第１タイマーがタイムアウトしても、前記移動端末がアクティブにならない場合、前記移動端末は、デタッチ操作を実施することと、
を含み、前記ディアクティブ指示情報は、前記ネットワーク設備が第２タイマーを起動し、前記第２タイマーが前記第１タイマーと同期して計時するように、前記移動端末が既にディアクティブになったことを示すために用いられる、
ことを特徴とする前記移動端末のデタッチ方法。
【請求項２】
前記第１タイマーがタイムアウトしない時に、前記移動端末がアクティブになった場合、前記移動端末は、前記移動端末がディアクティブになる前の登録状態を継続して保持し、前記ネットワーク設備にアクティブ指示情報を送信すること、
をさらに含み、
前記アクティブ指示情報が、前記ネットワーク設備が前記移動端末の前記登録状態を継続して保持するために、前記移動端末が既にアクティブになったことを示すように用いられる、
ことを特徴とする請求項１に記載の移動端末のデタッチ方法。
【請求項３】
前記移動端末は、デタッチ操作を実施した後にアクティブになった場合、前記方法は、
前記移動端末はアタッチ操作を実施することをさらに含む、
ことを特徴とする請求項１又は２に記載の移動端末のデタッチ方法。
【請求項４】
前記移動端末は、前記ネットワーク設備により送信された第１所定タイマーを受信することと、
前記移動端末は、前記第１タイマーを前記第１所定タイマーと設定することと、
をさらに含み、前記第１所定タイマーが前記第２タイマーの時間に基づいて設定される、
ことを特徴とする請求項１〜３のいずれか１項に記載の移動端末のデタッチ方法。
【請求項５】
前記移動端末は、前記ネットワーク設備により送信された所定タイマーセットを受信することと、
前記移動端末は、前記所定タイマーセット内の第２所定タイマーを前記第１タイマーとして設定することと、
前記移動端末は、前記ネットワーク設備が前記第２タイマーを前記第２所定タイマーと設定するように、前記ネットワーク設備に前記第２所定タイマーを送信することと、
をさらに含む、
ことを特徴とする請求項１〜３のいずれか１項に記載の移動端末のデタッチ方法。
【請求項６】
移動端末のデタッチ方法であって、
ネットワーク設備が、移動端末により送信されたディアクティブ指示情報を受信した場合、第２タイマーを起動することと、
前記ネットワーク設備は、前記第２タイマーがタイムアウトしても、前記移動端末により送信されたアクティブ指示情報を受信していない場合、デタッチ操作を実施することと、
を含み、前記ディアクティブ指示情報は、前記移動端末が既にディアクティブになったことを示すために用いられ、前記第２タイマーが前記移動端末内の第１タイマーと同期して計時し、前記第１タイマーが前記移動端末がディアクティブになる時に起動され、前記アクティブ指示情報が前記移動端末が既にアクティブになったことを示すように用いられる、
ことを特徴とする前記移動端末のデタッチ方法。
【請求項７】
前記第２タイマーがタイムアウトしない時に、前記ネットワーク設備が、前記移動端末により送信された前記アクティブ指示情報を受信した場合、前記ネットワーク設備は、前記移動端末がディアクティブになる前の登録状態を継続して保持すること、
をさらに含む、
ことを特徴とする請求項６に記載の移動端末のデタッチ方法。
【請求項８】
前記ネットワーク設備は、前記第２タイマーを第１所定タイマーと設定することと、
前記ネットワーク設備は、前記移動端末が、前記第１タイマーを前記第１所定タイマーと設定するように、前記移動端末に前記第１所定タイマーを送信することと、
をさらに含み、
及び／又は、
前記ネットワーク設備は、前記移動端末に所定タイマーセットを送信することと、
前記ネットワーク設備は、前記移動端末により送信された前記所定タイマーセット内の第２所定タイマーを受信することと、
前記ネットワーク設備は、前記第２タイマーを前記第２所定タイマーと設定することと、
をさらに含み、前記第２所定タイマーが、前記第１タイマーに基づいて設定される、
ことを特徴とする請求項６又は７に記載の移動端末のデタッチ方法。
【請求項９】
移動端末であって、
前記移動端末がディアクティブになる時に、第１タイマーを起動し、ネットワーク設備にディアクティブ指示情報を送信するように構成される送信ユニットと、
前記第１タイマーがタイムアウトしても、前記移動端末がアクティブにならない場合、デタッチ操作を実施するように構成される処理ユニットと、
を含み、前記ディアクティブ指示情報は、前記ネットワーク設備が第２タイマーを起動し、前記第２タイマーが前記第１タイマーと同期して計時するように、前記移動端末が既にディアクティブになったことを示すために用いられる、
ことを特徴とする前記移動端末。
【請求項１０】
ネットワーク設備であって、受信ユニットと処理ユニットを含み、
前記処理ユニットは、前記受信ユニットが移動端末により送信されたディアクティブ指示情報を受信した場合、第２タイマーを起動するように構成され、前記ディアクティブ指示情報は、前記移動端末が既にディアクティブになったことを示すために用いられ、前記第２タイマーが前記移動端末内の第１タイマーと同期して計時し、前記第１タイマーが前記移動端末がディアクティブになる時に起動され、
前記処理ユニットは、前記第２タイマーがタイムアウトしても、前記受信ユニットが前記移動端末により送信されたアクティブ指示情報を受信していない場合、デタッチ操作を実施するように構成され、前記アクティブ指示情報が前記移動端末が既にアクティブになったことを示すように用いられる、
ことを特徴とする前記ネットワーク設備。
【国際調査報告】
2019503096.tif 000008
2019503096.tif 000009
2019503096.tif 000010
2019503096.tif 000011